(57)【要約】本発明は、データを送受信するデータ送受信部（１０３）と、データを記憶するメモリ部（１０４）またはメモリカード部（１０５）と、主電源（１０９）と、２次電源（１１０）と、データを予め指定されたサーバ、端末または外部機器に送信する緊急データ送信部（１１２）と、データ送受信部（１０３）が緊急モードを設定するためのデータを受信したとき、電源を切れない状態にし、緊急データ送信部（１１２）を制御して、メモリ部（１０４）またはメモリカード部（１０５）に記憶されたデータを予め指定されたサーバ、端末または外部機器に退避させる緊急モード制御部（１０２）とを備える携帯端末装置である。本発明の携帯端末装置によれば、紛失、盗難、及び重要データを損失する可能性のある事故が発生したとき、重要データの保護と不正使用の防止を確実に行うことができる。【特許請求の範囲】
【請求項１】
電力を供給する主電源と、
データを送受信するデータ送受信部と、
データを記憶するメモリ部と、
データを予め指定されたサーバ、端末または外部機器に送信する緊急データ送信部と、
緊急モードを設定するためのデータを前記データ送受信部が受信したとき、前記主電源を切れない状態にし、その状態で、前記メモリ部に記憶されたデータを予め指定されたサーバ、端末または外部機器に送信するよう前記緊急データ送信部を制御する制御部とを備える、
ことを特徴とする携帯端末装置。
【請求項２】
請求項１に記載の携帯端末装置において、
前記メモリ部は緊急用の電話番号を記憶し、
前記制御部は、前記データ送受信部が、前記緊急モードを設定するためのデータとして、前記緊急用の電話番号のデータを受信したとき、前記主電源を切れない状態にし、その状態で、前記メモリ部に記憶されたデータを予め指定されたサーバ、端末または外部機器に送信するよう前記緊急データ送信部を制御する、
ことを特徴とする携帯端末装置。
【請求項３】
請求項１に記載の携帯端末装置において、
前記メモリ部は緊急用のメールアドレスを記憶し、
前記制御部は、前記データ送受信部が、前記緊急モードを設定するためのデータとして、前記緊急用のメールアドレスのデータを受信したとき、前記主電源を切れない状態にし、その状態で、前記メモリ部に記憶されたデータを予め指定されたサーバ、端末または外部機器に送信するよう前記緊急データ送信部を制御する、
ことを特徴とする携帯端末装置。
【請求項４】
請求項１に記載の携帯端末装置において、
前記メモリ部は緊急用のパスコードを記憶し、
前記制御部は、前記データ送受信部が、前記緊急モードを設定するためのデータとして、前記緊急用のパスコードを受信したとき、前記主電源を切れない状態にし、その状態で、前記メモリ部に記憶されたデータを予め指定されたサーバ、端末または外部機器に送信するよう前記緊急データ送信部を制御する、
ことを特徴とする携帯端末装置。
【請求項５】
請求項１に記載の携帯端末装置において、
前記携帯端末装置の位置を検出して位置情報データを出力する位置検出部を備え、
前記制御部は、前記緊急モードを設定するためのデータを前記データ送受信部が受信したとき、前記位置情報データを予め指定されたサーバ、端末または外部機器に送信するよう前記緊急データ送信部を制御する、
ことを特徴とする携帯端末装置。
【請求項６】
請求項１に記載の携帯端末装置において、
周囲の状況を撮影して撮影画像データを出力する撮影部を備え、
前記制御部は、前記緊急モードを設定するためのデータを前記データ送受信部が受信したとき、前記撮影画像データを予め指定されたサーバ、端末または外部機器に送信するよう前記緊急データ送信部を制御する、
ことを特徴とする携帯端末装置。
【請求項７】
請求項１に記載の携帯端末装置において、
周囲の音声を検出して音声データを出力する音声検出部を備え、
前記制御部は、前記緊急モードを設定するためのデータを前記データ送受信部が受信したとき、前記音声データを予め指定されたサーバ、端末または外部機器に送信するよう前記緊急データ送信部を制御する、
ことを特徴とする携帯端末装置。
【請求項８】
請求項１に記載の携帯端末装置において、
２次電源を備え、
前記緊急モードを設定するためのデータを前記データ送受信部が受信した場合に、前記主電源が電力を供給できないとき、前記制御部は、電力を供給するよう前記２次電源を制御する、
ことを特徴とする携帯端末装置。
【請求項９】
請求項１に記載の携帯端末装置において、
警告音を発する警告音発生部を備え、
前記制御部は、前記緊急モードを設定するためのデータを前記データ送受信部が受信したとき、警告音を発するよう前記警告音発生部を制御する、
ことを特徴とする携帯端末装置。
【請求項１０】
請求項１に記載の携帯端末装置において、
前記メモリ部は、過去に前記メモリ部から予め指定されたサーバ、端末または外部機器に送信されたデータの履歴を示す退避履歴を記憶し、
前記制御部は、前記緊急モードを設定するためのデータを前記データ送受信部が受信したとき、前記退避履歴に残っているデータからデータ名またはデータサイズに変更があったデータ分を差分データとして、予め指定されたサーバ、端末または外部機器に送信するよう前記緊急データ送信部を制御する、
ことを特徴とする携帯端末装置。
【請求項１１】
請求項１に記載の携帯端末装置において、
前記携帯端末装置の水濡れ程度を検出する水濡れ検出部と、
前記水濡れ検出部の検出値がしきい値を超えたか否かにより、前記携帯端末装置が水没しているか否かを検知し、前記携帯端末装置の水没を検知したとき、前記緊急モードを設定するためのデータを前記データ送受信部に送信する水没検知部とを備える、
ことを特徴とする携帯端末装置。
【請求項１２】
請求項１に記載の携帯端末装置において、
前記携帯端末装置の移動加速度を計測する加速度計測部と、
前記加速度計測部により計測された加速度がしきい値を超えたか否かにより、前記携帯端末装置が落下しているか否かを検知し、前記携帯端末装置の落下を検知したとき、前記緊急モードを設定するためのデータを前記データ送受信部に送信する落下検知部とを備える、
ことを特徴とする携帯端末装置。
【発明の詳細な説明】
【技術分野】
【０００１】  本発明は、携帯端末装置に関し、特に、緊急モード時に、メモリに記憶された個人情報データ等の重要なデータを他の端末、サーバ、または外部機器等に退避させる携帯端末装置に関する。
【背景技術】
【０００２】  近年、携帯電話などの携帯端末装置は、高機能化が進み、電子マネーとしての機能やクレッジット機能等が付加されるようになったことで、その価値が高まってきた。さらに、携帯端末装置内のメモリに記憶された情報の価値も高まってきた。このため、携帯端末装置の紛失、盗難が発生した場合、その不正使用を防止し、かつ、メモリ内の個人情報等の重要な情報を保護する必要性が高まってきた。【０００３】  従来、携帯端末装置である携帯電話の紛失、盗難が発生した場合に、携帯電話の不正使用を防ぎ、かつ、携帯電話の位置を所有者に通知する携帯電話システムが提案されている（例えば、特許文献１）。特許文献１の携帯電話システムでは、所有者が携帯電話の盗難または紛失に気づいて、他の電話から携帯電話に任意のパスワードを発信すると、携帯電話が操作部をロック状態にする。これにより、携帯電話の不正使用を防ぐ。さらに、このシステムでは、携帯電話が前記パスワードを受信すると、自己の位置を検出して位置情報を基地局に送信することで、所有者に携帯電話の位置を通知する。【０００４】  また、紛失、盗難が発生した場合に、位置通知、不正使用の防止、及び個人情報の保護を行なう携帯電話も提案されている（特許文献２）。特許文献２の携帯電話は、事前に設定されたコマンド文字列を含む電子メールを受信すると、付属のカメラで撮影した画像を自動送信することで、その位置を所有者に通知する。さらに、この携帯電話は、前記電子メールを受信すると、個人情報を架空データに置き換えて表示することで、個人情報を保護する。また、前記電子メールを受信してから、一定時間経過後、電源を自動切断することで、不正使用されるのを防ぐ。【０００５】  また、紛失、盗難が発生した場合に、メモリ内のデータを保護し、かつ、不正使用されるのを防ぐ携帯電話も提案されている（特許文献３）。特許文献３の携帯電話は、交換局に接続されている制御装置から、暗証番号とバックアップデータ要求とを受信すると、受信した暗証番号と予め記憶している暗証番号とを照合する。暗証番号が一致した場合、バックアップデータを基地局及び交換局を介してユーザ端末装置に転送したり、バックアップデータを暗号化したりする。その後、通話機能や表示機能を停止する。これにより、メモリ内のデータを保護し、かつ、不正使用されるのを防ぐ。
【特許文献１】特開２００３−１４３６４９号公報
【特許文献２】特開２００４−１１２１２６号公報
【特許文献３】特開２００４−３２４０２号公報
【特許文献４】特開２００１−１９７１７５号公報
【発明の開示】
【発明が解決しようとする課題】
【０００６】  前記特許文献１〜３の発明では以下に示す課題が生じる。前記特許文献１の発明では、携帯電話の盗難、紛失が発生した場合、不正使用を防ぐ操作や、位置を通知する操作を携帯電話に開始させるために、所有者は他の電話機から携帯電話に任意のパスワードを発信する必要がある。同様に、特許文献２の発明では、コマンド文字列を含むメールを携帯電話に送信する必要がある。また、特許文献３の発明では、メモリ内のデータを保護する操作を携帯電話に開始させるために、制御装置から暗証番号を携帯電話に送信する必要がある。しかし、不正使用者は携帯電話の電源を常に入れているとは限らず、不正使用するときにのみ携帯電話の電源を入れる可能性がある。携帯電話は電源が入っている状態でなければ、メール、電話、パスワード、または暗証番号を受信することができないことから、特許文献１〜３の発明では、不正使用者が携帯電話の電源を入れていない場合、携帯電話は、不正使用の防止や、位置通知や、データ保護の動作を開始することができない。【０００７】  また、前記特許文献１の発明では、携帯電話は任意のパスワードを受信すると、不正使用を防ぐために操作部をロック状態にし、位置情報を送信するが、これらの操作は電源が入っている状態でなければ行うことができない。よって、任意のパスワードを受信しても、不正使用者によって電源が切られると、携帯電話は不正使用を防ぐための動作と位置を通知する動作とができなくなる。同様に、前記特許文献２の発明においても、携帯電話はコマンド文字列を含むメールを受信しても、不正使用者によって電源が切られると、カメラ画像を送信して位置を通知する動作や、個人情報を架空データに置換え表示して個人情報を保護する動作ができなくなる。また、前記特許文献３の発明においても、携帯電話は暗証番号を受信しても、不正使用者によって電源が切られると、バックアップデータを転送したりバックアップデータを暗号化したりして、データを保護する動作ができなくなる。【０００８】  従って、上記問題を解決するために、本発明では、紛失、盗難、及び重要データを損失する可能性のある事故が発生したときに、不正使用を防止する動作と重要なデータを保護する動作を確実に行うことができる携帯端末装置を提供することを目的とする。
【課題を解決するための手段】
【０００９】  本発明に係る携帯端末装置は、電力を供給する主電源と、データを送受信するデータ送受信部と、データを記憶するメモリ部と、データを予め指定されたサーバ、端末または外部機器に送信する緊急データ送信部と、緊急モードを設定するためのデータを前記データ送受信部が受信したとき、前記主電源を切れない状態にし、その状態で、前記メモリ部に記憶されたデータを予め指定されたサーバ、端末または外部機器に送信するよう前記緊急データ送信部を制御する制御部とを備えることを特徴とする。【００１０】  本発明に係る携帯端末装置は、前記携帯端末装置において、前記メモリ部は緊急用の電話番号を記憶し、前記制御部は、前記データ送受信部が、前記緊急モードを設定するためのデータとして、前記緊急用の電話番号のデータを受信したとき、前記主電源を切れない状態にし、その状態で、前記メモリ部に記憶されたデータを予め指定されたサーバ、端末または外部機器に送信するよう前記緊急データ送信部を制御することを特徴とする。【００１１】  本発明に係る携帯端末装置は、前記携帯端末装置において、前記メモリ部は緊急用のメールアドレスを記憶し、前記制御部は、前記データ送受信部が、前記緊急モードを設定するためのデータとして、前記緊急用のメールアドレスのデータを受信したとき、前記主電源を切れない状態にし、その状態で、前記メモリ部に記憶されたデータを予め指定されたサーバ、端末または外部機器に送信するよう前記緊急データ送信部を制御することを特徴とする。【００１２】  本発明に係る携帯端末装置は、前記携帯端末装置において、前記メモリ部は緊急用のパスコードを記憶し、前記制御部は、前記データ送受信部が、前記緊急モードを設定するためのデータとして、前記緊急用のパスコードを受信したとき、前記主電源を切れない状態にし、その状態で、前記メモリ部に記憶されたデータを予め指定されたサーバ、端末または外部機器に送信するよう前記緊急データ送信部を制御することを特徴とする。【００１３】  本発明に係る携帯端末装置は、前記携帯端末装置において、前記携帯端末装置の位置を検出して位置情報データを出力する位置検出部を備え、前記制御部は、前記緊急モードを設定するためのデータを前記データ送受信部が受信したとき、前記位置情報データを予め指定されたサーバ、端末または外部機器に送信するよう前記緊急データ送信部を制御することを特徴とする。【００１４】  本発明に係る携帯端末装置は、前記携帯端末装置において、周囲の状況を撮影して撮影画像データを出力する撮影部を備え、前記制御部は、前記緊急モードを設定するためのデータを前記データ送受信部が受信したとき、前記撮影画像データを予め指定されたサーバ、端末または外部機器に送信するよう前記緊急データ送信部を制御することを特徴とする。【００１５】  本発明に係る携帯端末装置は、前記携帯端末装置において、周囲の音声を検出して音声データを出力する音声検出部を備え、前記制御部は、前記緊急モードを設定するためのデータを前記データ送受信部が受信したとき、前記音声データを予め指定されたサーバ、端末または外部機器に送信するように前記緊急データ送信部を制御することを特徴とする。【００１６】  本発��に係る携帯端末装置は、前記携帯端末装置において、２次電源を備え、前記緊急モードを設定するためのデータを前記データ送受信部が受信した場合に、前記主電源が電力を供給できないとき、前記制御部は、電力を供給するよう前記２次電源を制御することを特徴とする。【００１７】  本発明に係る携帯端末装置は、前記携帯端末装置において、警告音を発する警告音発生部を備え、前記制御部は、前記緊急モードを設定するためのデータを前記データ送受信部が受信したとき、警告音を発するよう前記警告音発生部を制御することを特徴とする。【００１８】  本発明に係る携帯端末装置は、前記携帯端末装置において、前記メモリ部は、過去に前記メモリ部から予め指定されたサーバ、端末または外部機器に送信されたデータの履歴を示す退避履歴を記憶し、前記制御部は、前記緊急モードを設定するためのデータを前記データ送受信部が受信したとき、前記退避履歴に残っているデータからデータ名またはデータサイズに変更があったデータ分を差分データとして、予め指定されたサーバ、端末または外部機器に送信するよう前記緊急データ送信部を制御することを特徴とする。【００１９】  本発明に係る携帯端末装置は、前記携帯端末装置において、前記携帯端末装置の水濡れ程度を検出する水濡れ検出部と、前記水濡れ検出部の検出値がしきい値を超えたか否かにより、前記携帯端末装置が水没しているか否かを検知し、前記携帯端末装置の水没を検知したとき、前記緊急モードを設定するためのデータを前記データ送受信部に送信する水没検知部とを備えることを特徴とする。【００２０】  本発明に係る携帯端末装置は、前記携帯端末装置において、前記携帯端末装置の移動加速度を計測する加速度計測部と、前記加速度計測部により計測された加速度がしきい値を超えたか否かにより、前記携帯端末装置が落下しているか否かを検知し、前記携帯端末装置の落下を検知したとき、前記緊急モードを設定するためのデータを前記データ送受信部に送信する落下検知部とを備えることを特徴とする。
【発明の効果】
【００２１】  以上のように、本発明の携帯端末装置によれば、緊急モードを設定するためのデータをデータ送受信部が受信したときに、電源を切れない状態にし、その状態で、メモリ部に記憶されたデータを予め指定されたサーバ、端末または外部機器に送信するようにしたことから、携帯端末装置の紛失、盗難、水没、または落下が発生しても、緊急モードでの動作を確実に行って、個人情報データ等の重要なデータを保護することができる。【００２２】  また、本発明の携帯端末装置によれば、携帯端末装置の位置を検出して位置情報データを出力する位置検出部と、周囲の状況を撮影して撮影画像データを出力する撮影部と、周囲の音声を検出して音声データを出力する音声検出部とを備え、緊急モードを設定するためのデータをデータ送受信部が受信したときに、電源を切れない状態とし、その状態で、前記位置情報データ、前記撮影画像データ、または前記音声データを予め指定されたサーバ、端末または外部機器に送信するようにしたことから、携帯端末装置の紛失、盗難が発生したときに、緊急モードでの動作を確実に行って、予め指定されたサーバ、端末または外部機器に現在位置を通知し続けることができる。【００２３】  また、本発明の携帯端末装置によれば、警告音を発する警告音発生部を備え、緊急モードを設定するためのデータをデータ送受信部が受信したときに、電源を切れない状態とし、その状態で、前記警告音発生部が警告音を発するようにしたことから、携帯端末装置の紛失、盗難が発生したときに、緊急モードでの動作を確実に行って、警告音を発し続けることができる。その結果、不正使用者による不正使用を防ぐことができる。【００２４】  また、本発明の携帯端末装置によれば、緊急モードを設定するためのデータを受信して、メモリ部に記憶されたデータを予め指定されたサーバ、端末または外部機器に送信するとき、過去に前記メモリ部から予め指定されたサーバ、端末または外部機器に送信されたデータの履歴を示す退避履歴を検索し、前記退避履歴に残っているデータからデータ名またはデータサイズに変更があったデータ分を差分データとして送信するようにしたことから、緊急モード時に退避させるデータ量を減らし、データの退避時間を短縮することができる。
【図面の簡単な説明】
【００２５】
【図１】図１は、本発明の実施の形態１に係る携帯端末装置の構成例を示すブロック図である。
【図２】図２は、本発明の実施の形態１に係る携帯端末装置の動作を説明するためのフローチャート図である。
【図３】図３は、本発明の実施の形態１に係る携帯端末装置の動作を説明するためのフローチャート図である。
【図４】図４は、本発明の実施の形態１に係る携帯端末装置の動作を説明するためのフローチャート図である。
【図５】図５は、本発明の実施の形態１に係る携帯端末装置の動作を説明するためのフローチャート図である。
【図６】図６は、本発明の実施の形態２に係る携帯端末装置の構成例を示すブロック図である。
【図７】図７は、本発明の実施の形態２に係る携帯端末装置の動作を説明するためのフローチャート図である。
【図８】図８は、本発明の実施の形態３に係る携帯端末装置の構成例を示すブロック図である。
【図９】図９は、本発明の実施の形態３に係る携帯端末装置の動作を説明するためのフローチャート図である。
【図１０】図１０は、本発明の携帯端末装置と他の機器との関係を示す図である。
【符号の説明】
【００２６】１０１  通常モード制御部
１０２  緊急モード制御部
１０３  データ送受信部
１０４  メモリ部
１０５  メモリカード部
１０６  位置検出部
１０７  カメラ撮影部
１０８  音声検出部
１０９  主電源
１１０  ２次電源
１１１  警告音発生部
１１２  緊急データ送信部
６０１  水濡れ検出部
６０２  水没検知部
８０１  加速度計測部
８０２  落下検知部
１００１ａ〜１０００ｃ  携帯端末装置
１００２  電話
１００３  パーソナルコンピュータ
１００４  サーバ
１００５  移動端末
１００６  家電機器
【発明を実施するための最良の形態】
【００２７】  （実施の形態１）
図１は、本発明の実施の形態１に係る携帯端末装置の構成図である。図１では、携帯端末装置の一例として携帯電話を示しているが、ノート型パソコン、またはその他の移動端末装置でも良い。【００２８】  本発明の実施の形態１に係る携帯端末装置１００１ａは、通常モード時に携帯端末装置の各部を制御する通常モード制御部１０１と、緊急モード時に携帯端末装置の各部を制御する緊急モード制御部１０２と、データ送受信部１０３と、メモリ部１０４と、メモリカードの装着及び取り外しが可能なメモリカード部１０５と、携帯端末装置の所在位置を検出する位置検出部１０６と、カメラ撮影部１０７と、周囲の音声を検出する音声検出部１０８と、主電源１０９と、２次電源１１０と、緊急モード時に警告音を発する警告音発生部１１１と、緊急データ送信部１１２と、表示部１１３とを備える。【００２９】  データ送受信部１０３は、電話機、サーバ、他の端末、または外部機器との間で、電話や、メールや、その他のデータを送受信する。また、携帯端末装置内の各部からデータを受信することもできる。【００３０】  メモリ部１０４またはメモリカード部１０５は以下のデータを記憶する。電話帳、メールアドレス帳、電話及びメールの送受信履歴、個人情報、緊急用の電話番号、緊急用のメールアドレス、緊急用のパスコード、カメラ画像、緊急モード時にデータを退避させる退避先データ（例えば、サーバ、端末、外部機器に情報）、並びに、過去に退避させたデータの履歴を示す退避履歴である。緊急用の電話番号、緊急用のメールアドレス、及び緊急用のパスコードは、通常モード時に、通常モード制御部１０１が所有者からの指示に従ってメモリ部１０４またはメモリカード部１０５に記憶する。【００３１】  メモリカード部１０５は、メモリカードを差し込み口（スロット）から取り外せないようにするロック機能を有する。具体的には、メモリカードを、その形状を利用して固定する機能、例えば、メモリカードの切り欠き部分を引っ掛ける機能や、メモリカードを取り出させなくする蓋を閉じる機能を有する。なお、メモリカード部１０５に差し込まれるメモリカードは、使用可能な携帯端末装置が登録されているものであっても良い。【００３２】  緊急データ送信部１１２は、緊急モード時に、緊急モード制御部１０２の制御に基づいて、データを予め指定されたサーバ、端末、または外部機器に送信する。外部機器としては、例えば家電機器が挙げられる。【００３３】  以上のように構成される本発明の実施の形態１に係る携帯端末装置１００１ａにおいて、紛失、盗難が発生したときの動作について説明する。なお、通常モード時の動作は本発明の主旨ではないので説明を省略する。【００３４】  まず、携帯端末装置の紛失、盗難が発生したときに、携帯端末装置に対して緊急モードを設定する動作について図１０を用いて説明する。携帯端末装置の紛失、盗難が発生したとき、所有者は、携帯端末装置１００１に緊急モードを設定するためのデータを送信する。緊急モードを設定するためのデータとしては、緊急用の電話番号のデータ、緊急用のメールアドレスのデータ、または緊急用のパスコードが挙げられる。例えば、所有者は、緊急用の電話番号の電話機１００２から携帯���末装置１００１に電話をかけることで、緊急用の電話番号のデータを携帯端末装置１００１に送信したり、緊急用のメールアドレスを有するパーソナルコンピュータ１００３やサーバ１００４や移動端末１００５から携帯端末装置１００１にメールを送信することで、緊急用のメールアドレスのデータを携帯端末装置１００１に送信する。また、インターネット経由で、緊急用の電話番号のデータ、緊急用のメールアドレスのデータ、または緊急用のパスコードを、パーソナルコンピュータ１００３、サーバ１００４、または移動端末１００５から送信することでも良い。なお、緊急用のパスコードとしては、文字列、数字列、または文字列と数字列の組み合わせが挙げられる。【００３５】  次に、本発明の実施の形態１に係る携帯端末装置１００１ａにおいて、緊急用のデータを受信したときの動作について図２を用いて説明する。
まず、データ送受信部１０３が、外部からのデータを受信し（ステップＳ２０１）、受信したデータが緊急モードを設定するためのデータか否かを判定する（ステップＳ２０２）。例えば、データ送受信部１０３は、受信したデータがメモリ部１０４またはメモリカード部１０５に記憶された緊急用の電話番号のデータ、緊急用のメールアドレスのデータ、または緊急用のパスコードかを判定する。データ送受信部１０３は、緊急モードを設定するためのデータを受信すると、緊急モード指示信号を緊急モード制御部１０２に出力する。緊急モード制御部１０２は、緊急モード指示信号を受け取ると、各部を緊急モードに設定し（ステップＳ２０３）、主電源１０９を切れない状態にする（ステップＳ２０４）。【００３６】  以下、ステップＳ２０４の電源制御について図３を用いて詳細に説明する。緊急モード制御部１０２は、電源を切れない状態にする制御を行うとき、まず、主電源１０９が有効かどうかを判定する（ステップＳ３０１）。具体的には、主電源１０９の電力残量がしきい値を超えている場合に有効と判定する。主電源１０９が有効である場合、緊急モード制御部１０２は、電源を切るためのキー操作を無効にしたり、電源部分を取り外せなくする制御を行うことで、主電源１０９を切る操作を無効にし、主電源１０９は電力を各部に供給し続ける（ステップＳ３０２）。一方、主電源１０９が有効でない場合、緊急モード制御部１０２は２次電源１１０が有効かどうかを判定する（ステップＳ３０３）。２次電源１１０が有効、すなわち、２次電源１１０の電力残量がしきい値を超える場合、緊急モード制御部１０２は電力を各部に供給するよう２次電源１１０を制御し、２次電源１１０は緊急モード制御部１０２の制御に基づいて各部に対して電力を供給し続ける（ステップＳ３０４）。一方、ステップＳ３０３で、２次電源１１０が存在しない、または２次電源１１０の電力残量がしきい値以下であるために、２次電源１１０が有効でないと判定した場合、緊急モード制御部１０２は、主電源１０９を切り、電源入のキー操作を制限して、再起動をできなくする（ステップＳ３０５）。【００３７】  ステップＳ２０４で電源を切れない状態にした後、緊急モード制御部１０２は特定の操作及びメモリカード部１０５の取り出し操作をロック状態にする（ステップＳ２０５）。特定の操作とは、例えば、電話帳やメールアドレス帳の閲覧操作、電子マネー機能の使用操作である。また、メモリカード部１０５をロック状態にする操作とは、ある特定の認証を行わないと、メモリカードをメモリカード部１０５の差し込み口から取り外せないようにする操作のことである。【００３８】  次に、緊急モード制御部１０２は、緊急データ送信部１１２を制御して、メモリ部１０４またはメモリカード部１０５に記憶されたデータを、予め設定された優先順に従って、予め指定されたサーバ、端末、または外部機器に送信させる（ステップＳ２０６）。これにより、重要なデータを退避させる。【００３９】  以下、ステップＳ２０６のデータ退避処理について図４を用いて詳細に説明する。緊急モード制御部１０２は、メモリ部１０４またはメモリカード部１０５に記憶されたデータを、緊急データ送信部１１２���ら予め指定されたサーバ、端末または外部機器に退避させるとき、メモリ部１０４またはメモリカード部１０５内にデータの退避履歴が残っているかを判定する（ステップＳ４０１）。退避履歴が残っている場合、緊急モード制御部１０２は所有者が予めデータの退避優先順位を設定しているかを判定する（ステップＳ４０２）。優先順位が設定されている場合、緊急モード制御部１０２は、退避履歴から変更のあったデータ、すなわち前記退避履歴に残っているデータからデータ名またはデータサイズに変更があったデータ分を差分データと判定し、緊急データ送信部１１２を制御して、前記差分データを所有者が設定した優先順位で予め指定されたサーバ、端末または外部機器に退避させる（ステップＳ４０３）。このように、差分データのみを退避させることで、データの退避時間を短縮することができる。一方、ステップＳ４０２で所有者が予めデータの退避優先順位を設定していないと判定した場合、緊急モード制御部１０２は、デフォルト順で前記差分データを予め指定されたサーバ、端末または外部機器に退避させる（ステップＳ４０４）。また、緊急モード制御部１０２は、ステップＳ４０１で退避履歴が残っていないと判定した場合、所有者が予めデータの退避優先順位を設定しているかを判定する（ステップＳ４０５）。優先順位が設定されている場合、緊急データ送信部１１２を制御して、全データを所有者が設定した優先順位で予め指定されたサーバ、端末または外部機器に退避させる（ステップＳ４０６）。一方、ステップＳ４０５で所有者が優先順位を設定してないと判定した場合、緊急モード制御部１０２は、全データをデフォルト順で予め指定されたサーバ、端末または外部機器に退避させる（ステップＳ４０７）。【００４０】  なお、データの退避優先順位を所有者が設定する場合は、通常モード時に、通常モード制御部１０１が所有者からの指示を受け付けて優先順位を設定し、その旨を示すデータをメモリ部１０４またはメモリカード部１０５に記憶する。また、デフォルト設定する場合は、メーカ側が予め優先順位を設定して、その旨を示すデータをメモリ部１０４またはメモリカード部１０５に記憶しておく。【００４１】  ステップＳ２０６のデータ退避処理と並行して位置検出処理も行う。この処理において、まず、緊急モード制御部１０２が位置検出機能（位置検出部１０６）の存在を判定する（ステップＳ２１２）。位置検出部１０６が存在する場合、緊急モード制御部１０２の制御に基づいて、まず、位置検出部１０６が携帯端末装置の所在位置を検出して位置情報データを生成し、次に、緊急データ送信部１１２が位置情報データを予め指定されたサーバ、端末または外部機器に送信する（ステップＳ２１３）。位置情報データの送信はステップＳ２１１で緊急モードが解除されるまで行われる。なお、位置情報データは、緊急モード制御部１０２の制御に基づいて、一旦、メモリ部１０４またはメモリカード部１０５に記憶されてから、予め指定されたサーバ、端末または外部機器に送信されることでも良い。【００４２】  位置検出部１０６としては、例えば、人工衛星からの電波を用いた位置測定システムである、ＧＰＳ（Ｇｌｏｂａｌ  Ｐｏｓｉｔｉｏｎｉｎｇ  Ｓｙｓｔｅｍ）が挙げられる。この場合、携帯端末装置は、衛星からＧＰＳ情報を受信し、さらに、基地局から基地局情報を受信して、ＧＰＳ情報及び基地局情報を予め指定されたサーバ、端末または外部機器に送信する。【００４３】  さらに、ステップＳ２０６のデータ退避処理と並行してカメラによる画像撮影処理を行う。この処理において、まず、緊急モード制御部１０２がカメラ機能（カメラ撮影部１０７）の存在を判定する（ステップＳ２１４）。カメラ撮影部１０７が存在する場合、緊急モード制御部１０２の制御に基づいて、まず、カメラ撮影部１０７が周囲の状況を撮影し、次に、緊急データ送信部１１２が撮影画像データを予め指定されたサーバ、端末または外部機器に送信する（ステップＳ２１５）。なお、撮影画像データは、緊急モード制御部１０２の制御に基づいて、一旦、メモリ部１０４またはメモリカード部１０５に記憶されてから、予め指定されたサーバ、端末または外部機器に送信されることでも良い。【００４４】  以下、ステップＳ２１５のカメラ撮影及び撮影画像データの送信処理について図５を用いて詳細に説明する。携帯端末装置にカメラ機能（カメラ撮影部１０７）が存在する場合、緊急モード制御部１０２は、カメラ撮影部１０７が動画機能を有するかを判定する（ステップＳ５０１）。動画機能がある場合、カメラ撮影部１０７は、動画モードで周囲の状況を撮影し（ステップＳ５０２）、動画機能がない場合は、静止画モードで周囲の状況を撮影する（ステップＳ５０３）。撮影画像データ（動画または静止画）はメモリ部１０４またはメモリカード部１０５に記憶される（ステップＳ５０４）。その後、緊急モード制御部１０２は、撮影画像データを予め指定されたサーバ、端末、または外部機器に送信できるかを判定する（ステップＳ５０５）。送信可能な場合、緊急モード制御部１０２は、緊急データ送信部１１２を制御して、撮影画像データをメールやリアルタイム通信で送信させる（ステップＳ５０６）。一方、ステップＳ５０５で送信不可能と判定した場合、緊急モード制御部１０２は、撮影画像データを送信可能になるまでメモリ部１０４またはメモリカード部１０５にバッファリングさせ、送信可能になれば緊急データ送信部１１２に撮影画像データを送信させる（ステップＳ５０７）。【００４５】  また、ステップＳ２０６のデータ退避処理と並行して音声検出部１０８による音声検出処理を行う。この処理において、まず、緊急モード制御部１０２が音声検出機能（音声検出部１０８）の存在を判定する（ステップＳ２１６）。音声検出部１０８としては、例えば、ボイスレコーダーが挙げられる。音声検出部１０８が存在する場合、緊急モード制御部１０２の制御に基づいて、まず、音声検出部１０８が周囲の音声を検出し、次に、緊急データ送信部１１２が音声データを予め指定されたサーバ、端末または外部機器に送信する（ステップＳ２１７）。なお、音声データは、緊急モード制御部１０２の制御に基づいて、一旦、メモリ部１０４またはメモリカード部１０５に記憶されてから、予め指定されたサーバ、端末または外部機器に送信されることでも良い。【００４６】  次に、緊急モード制御部１０２はデータの退避が完了したかを判定し（ステ���プＳ２０７）、完了したと判定した場合、データの退避が完了した旨を示すメールを作成して、データ送受信部１０３を介して予め指定されたサーバや端末に送信する（ステップＳ２０８）。
メール送信後、緊急モード制御部１０２の制御に基づいて、警告音発生部１１１が警告音を出し続ける（ステップＳ２０９）。【００４７】  所有者は、携帯端末装置が発見されたなどの理由により、緊急モードを解除するとき、緊急モードを解除するためのデータを携帯端末装置に送信する。緊急モードを解除するデータとしては、緊急モードを設定したときに送信したデータでも良いし、別のデータでも良い。例えば、図１０において、緊急用の電話機１００２から電話をかけて緊急モードを設定したとき、緊急用の電話機１００２から電話をかけることで緊急モードを解除しても良いし、パーソナルコンピュータ１００３、サーバ１００４、または移動端末１００５からメールを送信することで、緊急モードを解除しても良い。【００４８】  緊急モード制御部１０２は、所有者からデータ送受信部１０３が所有者から緊急モードを解除するためのデータを受信したかを判定する（ステップＳ２１０）。受信したと判定した場合、緊急モードを解除する（ステップＳ２１１）。【００４９】  以上のように、本発明の実施の形態１に係る携帯端末装置は、データ送受信部１０３が緊急モードを設定するためのデータを受信したとき、緊急モード制御部１０２が、電源を切れない状態にし、その状態で緊急データ送信部１１２を制御して、メモリ部１０４またはメモリカード部１０５に記憶されたデータを予め指定されたサーバ、端末または外部機器に退避させるようにした。これにより、本発明の実施の形態１に係る携帯端末装置によれば、紛失、盗難が発生したときに、不正使用者が電源を切る動作を行っても電源が切れないようにし、個人情報データ等の重要データを予め指定されたサーバ、端末、または外部機器に退避して保護することができる。【００５０】  また、本発明の実施の形態１に係る携帯端末装置は、位置検出を行う位置検出部１０６と、周囲の状況を撮影するカメラ撮影部１０７と、周囲の音声を検出する音声検出部１０８とを備え、データ送受信部１０３が緊急モードを設定するためのデータを受信したとき、緊急モード制御部１０２が、電源を切れない状態にし、その状態で緊急データ送信部１１２を制御して、位置情報データ、撮影画像データ、または音声データを、予め指定されたサーバ、端末、または外部機器に送信させるようにした。これにより、本発明の実施の形態１に係る携帯端末装置によれば、紛失、盗難が発生したときに、不正使用者が電源を切る動作を行っても電源が切れないようにし、予め指定されたサーバ、端末、または外部機器に現在位置を通知し続けることができる。【００５１】  また、本発明の実施の形態１に係る携帯端末装置によれば、データ送受信部１０３が緊急モードを設定するためのデータを受信したとき、緊急モード制御部１０２が、電源を切れない状態にし、その状態で、警告音発生部１１１を制御して、警告音を出させるようにした。これにより、本発明の実施の形態１に係る携帯端末装置によれば、紛失、盗難が発生したときに、不正使用者が電源を切る動作を行っても電源が切れないようにすることができる。さらに、警告音を発し続けて不正使用を防ぐことができる。【００５２】  なお、実施の形態１において、携帯端末装置は、データ送受信部１０３が、緊急モードを設定するデータとして、緊急用の電話番号のデータ、緊急用のメールアドレスのデータ、または緊急用パスコードを外部から受信したときに、緊急モードを設定すると説明したが、本発明はこれに限るものではなく、その他の特定のデータをデータ送受信部１０３が受信したときに、緊急モードを設定することでも良い。【００５３】  また、実施の形態１において、携帯端末装置は、緊急モード時に、メモリ部１０４またはメモリカード部１０５内のデータを退避すると説明したが、本発明はこれに限るものではない。データの退避ができない場合に、緊急モード制御部１０２が、メモリ部１０４またはメモリカード部１０５内のデータを暗号化または強制消去することでも良い。これにより、データを退避できなくても、不正使用者によるデータの読み出し、及び不正利用を防ぐことができる。また、緊急モード制御部１０２が、データ退避後に、メモリ部１０４またはメモリカード部１０５内のデータを暗号化または強制消去することでも良い。これにより、不正使用者によるデータの読み出し、及び不正利用をより確実に防ぐことができる。なお、データを暗号化した場合は、緊急モード解除時に、緊急モード制御部１０２が暗号を解く。【００５４】  また、実施の形態１において、携帯端末装置は、緊急モード時に、緊急データ送信部１１２によって、メモリ部１０４またはメモリカード部１０５内のデータを退避すると説明したが、本発明はこれに限るものではなく、データ送受信部１０３によってデータを退避することでも良い。【００５５】  また、実施の形態１において、携帯端末装置は、緊急モード時に、メモリカード部１０５をロック状態にすると説明したが、本発明はこれに限るものではなく、電源オフ時にロック状態にすることでも良い。【００５６】  また、実施の形態１において、携帯端末装置は、データの退避が完了した旨を示すメールを送信後、警告音を出し続けると説明したが、本発明はこれに限るものではない。データの退避が完了した後、緊急モード制御部１０２が、主電源１０９を切り、再起動をできなくする電源操作を行うことでも良い。【００５７】  また、実施の形態１において、携帯端末装置は、ステップＳ２０１〜ステップＳ２１０の処理後に、緊急モードを解除すると説明したが、本発明はこれに限るものではなく、所有者からの緊急モード解除の指示があればいつでも緊急モードを解除して良い。【００５８】  また、実施の形態１において、携帯端末装置は、緊急データ送信部１１２によって位置情報データ、撮影画像データ、及び音声データを、サーバー、端末、または外部機器に送信すると説明したが、本発明はこれに限るものではなく、データ送受信部１０３によってそれらのデータを送信することでも良い。【００５９】  また、本発明の携帯端末装置は、緊急モード時に、データを退避している旨を示す警告メッセージを、緊急モード制御部１０２が表示部１１３に表示させるようにしても良い。【００６０】  （実施の形態２）
図６は、本発明の実施の形態２に係る携帯端末装置１００１ｂの構成図である。本発明の実施の形態２に係る携帯端末装置１００１ｂは、図１に示す実施の形態１に係る携帯端末装置１００１ａに、さらに水濡れ検出部６０１と、水没検知部６０２とを備えることを特徴とする。【００６１】  水濡れ検出部６０１は携帯端末装置１００１ｂの水濡れ程度を検出し検出値を水没検知部６０２に出力する。水没検知部６０２は、水濡れ検出部６０１の検出値がしきい値を超えたかどうかを判定し、しきい値を越えた場合、携帯端末装置１００１ｂが水没したと検知する。水没検知部６０２は携帯端末装置１００１ｂの水没を検知すると、緊急モードを設定するためのデータをデータ送受信部１０３に出力する。【００６２】  以下、本発明の実施の形態２における水没検知方法について、具体的に説明する。
一般的に、携帯端末装置は、水に濡れると色が濃くなる水濡れ判定シールを有している。この水濡れ判定シールを水濡れ検出部６０１とすると、水没検知部６０２はこのシールの色を認識するカメラ等の装置を設け、シールの色の濃さを検出値とし、該検出値が予め設定されたしきい値を超えたかを判定する。そして、しきい値を超えた場合、水没したと検知する。【００６３】  また、水濡れ検出部６０１としては、例えば、特開２００１−１９７１７５号公報（特許文献４）に記載の湿度センサーを用いることができる。この湿度センサーは、湿気を含む水分量を検出し、電気信号に変換する半導体ガスセンサー等からなるものである。水没検知部６０２は、湿度センサーからの電気信号を入力して電気信号レベルとしきい値とを比較し、しきい値を超えた場合、水没したと検知する。【００６４】  次に、本発明の実施の形態２に係る携帯端末装置１００１ｂの動作について図７を用いて説明する。本発明の実施の形態２に係る携帯端末装置１００１ｂでは、水没によるデータの損失に備えて、水濡れ検出部６０１が携帯端末装置の水濡れ程度を検出する（ステップＳ７０１）。水没検知部６０２は水濡れ検出部６０１の検出値がしきい値を超えたかどうを判定する（ステップＳ７０２）。検出値がしきい値を超えた場合、緊急モードを設定するためのデータをデータ送受信部１０３に送信する。【００６５】  以降、携帯端末装置１００１ｂは、図２に示すステップＳ２０３、ステップＳ２０４、ステップＳ２０６〜ステップＳ２０８、ステップＳ２１０、ステップＳ２１１の処理を行う。すなわち、まず、緊急モードを設定し、主電源１０９または２次電源１１０から各部に対する電力の供給が途切れないようにする。次に、メモリ部１０４またはメモリカード部１０５内の全データまたは退避履歴から変更のあったデータを、予め設定された優先順に従って、予め指定されたサーバ、端末または外部機器に退避する。そして、データの退避が完了するとその旨を示すメールを送信する。その後、所有者からの緊急モード解除指示に従って、緊急モードを解除する。【００６６】  以上のように本発明の実施の形態２に係る携帯端末装置は、水没検知部６０２が携帯端末装置の水没を検知したとき、緊急モード制御部１０２が、電源を切れない状態にし、その状態で緊急データ送信部１１２を制御して、メモリ部１０４またはメモリカード部１０５に記憶されたデータを、予め指定されたサーバ、端末または外部機器に退避させるようにした。これにより、本発明の実施の形態２に係る携帯端末装置によれば、水没したときでも、緊急モードでの動作を確実に行って、個人情報データ等の重要なデータを他の端末、サーバ、または外部機器に退避させて保護することができる。【００６７】  なお、実施の形態２で、水没検知部６０２は、水没を検知したときに、データ送受信部１０３に緊急モードを設定するためのデータを送信すると説明したが、本発明はこれに限るものではない。水没検知部６０２が、水没を検知したときに、緊急モード制御部１０２に緊急モード指示信号を出力することでも良い。【００６８】  また、本発明の携帯端末装置は、水没検知部６０２が携帯端末装置の水没を検知したとき、データ退避と並行して、位置検出部１０６によって位置検出を行い、カメラ撮影部１０７によって周囲の状況を撮影し、音声検出部１０８によって周囲の音声を検出し、位置情報データ、撮影画像データ、または音声データを予め指定されたサーバ、端末、または外部機器に送信するようにしても良い。【００６９】  また、本発明の携帯端末装置は、データ退避後に、緊急モード制御部１０２が、電源を切るよう主電源１０９を制御しても良い。これにより、携帯端末装置が水によってショートする可能性を低くすることができる。【００７０】  また、本発明の携帯端末装置は、水没検知部６０２が携帯端末装置の水没を検知した場合、警告音発生部１１１が警告音を発するようにしても良い。【００７１】  （実施の形態３）
図８は、本発明の実施の形態３に係る携帯端末装置１００１ｃの構成図である。本発明の実施の形態３に係る携帯端末装置１００１ｃは、図１に示す実施の形態１に係る携帯端末装置１００１ａに、さらに加速度計測部８０１と、落下検知部８０２とを備えることを特徴とする。【００７２】  加速度計測部８０１は携帯端末装置１００１ｃの移動加速度を計測する。落下検知部８０２は、加速度計測部８０１が計測した加速度が、予め設定したしきい値を超えたとき、携帯端末装置１００１ｃが落下していると検知する。携帯端末装置１００１ｃの落下を検知した場合、落下検知部８０２は、緊急モードを設定するためのデータを、データ送受信部１０３に出力する。【００７３】  次に、本発明の実施の形態３に係る携帯端末装置１００１ｃの動作について図９を用いて説明する。本発明の実施の形態３に係る携帯端末装置１００１ｃでは、落下によるデータの損失に備えて、加速度計測部８０１が、携帯端末装置の移動加速度を計測する（ステップＳ９０１）。落下検知部８０２は加速度計測部８０１が計測した加速度がしきい値を超えたかどうかを判定する（ステップＳ９０２）。加速度がしきい値を超えた場合、該落下検知部８０２は、緊急モードを設定するためのデータを、データ送受信部１０３に送信する。【００７４】  以降、携帯端末装置１００１ｃは、図２に示すステップＳ２０３、ステップＳ２０４、ステップＳ２０６〜ステップＳ２０８、ステップＳ２１０、ステップＳ２１１の処理を行う。すなわち、まず、緊急モードを設定し、主電源１０９または２次電源１１０から各部に対する電力の供給が途切れないようにする。次に、メモリ部１０４またはメモリカード部１０５内の全データまたは退避履歴から変更があったデータを、予め設定された優先順に従って、予め指定されたサーバ、端末または外部機器に退避する。そして、データの退避が完了するとその旨を示すメールを送信する。その後、所有者からの緊急モード解除指示に従って、緊急モードを解除する。【００７５】  以上のように、本発明の実施の形態３に係る携帯端末装置は、落下検知部８０２が携帯端末装置の落下を検知したとき、緊急モード制御部１０２が、電源を切れない状態にし、その状態で緊急データ送信部１１２を制御して、メモリ部１０４またはメモリカード部１０５に記憶されたデータを、予め指定されたサーバ、端末または外部機器に退避させるようにした。これにより、本発明の実施の形態３に係る携帯端末装置によれば、落下中でも緊急モードでの動作を確実に行って、個人情報データ等の重要なデータを他の端末、サーバ、または外部機器に退避させて保護することができる。【００７６】  なお、実施の形態３で、落下検知部８０２は、落下を検知したときに、データ送受信部１０３に緊急モードを設定するためのデータを送信すると説明したが、本発明はこれに限るものではない。落下検知部８０２が、落下を検知したときに、緊急モード制御部１０２に緊急モード指示信号を出力することでも良い。【００７７】  また、本発明の携帯端末装置は、落下検知部８０２が携帯端末装置の落下を検知したとき、データ退避と平行して、位置検出部１０６によって位置検出を行い、カメラ撮影部１０７によって周囲の状況を撮影し、音声検出部１０８によって周囲の音声を検出し、位置情報データ、撮影画像データ及び音声データを予め指定されたサーバ、端末、外部機器に送信するようにしても良い。【００７８】  また、本発明の携帯端末装置は、落下検知部８０２が携帯端末装置の落下を検知したとき、警告音発生部１１１によって警告音を発生するようにしても良い。【００７９】  また、前記実施の形態１〜３で、携帯端末装置は、データ送受信部１０３が、緊急モードを設定するデータとして、緊急用の電話番号のデータ、緊急用のメールアドレスのデータ、または緊急用パスコードを外部から受信したときや、水没検知部６０２、または落下検知部８０２から緊急モードを設定するためのデータを受信したときに、緊急モードを設定すると説明したが、本発明はこれに限るものではない。【００８０】  例えば、本発明が、所有者の認証（指紋、虹彩、声など）を行なった後、電源のオン／オフ操作、及び通常操作を可能にする携帯端末装置であれば、通常モード制御部１０１が、認証後に電源オフ操作が行なわれたか否かを検知し、認証前に電源オフ操作が行なわれた場合に、緊急モードを設定するためのデータをデータ送受信部１０３に送信するようにしても良い。【００８１】  また、本発明が、所有者から緊急モードの指示を受け付ける入力部を有する携帯端末装置であれば、入力部が、緊急モードの指示を受け付けたときに、緊急モードを設定するためのデータをデータ送受信部１０３に送信するようにして良い。
【産業上の利用可能性】
【００８２】  本発明は、盗難、紛失、または水没、落下等の事故が発生した場合に、個人情報データ等の重要なデータを保護する携帯端末装置として有用である。
【図１】
2006028030.tif 000002
【図２】
2006028030.tif 000003
【図３】
2006028030.tif 000004
【図４】
2006028030.tif 000005
【図５】
2006028030.tif 000006
【図６】
2006028030.tif 000007
【図７】
2006028030.tif 000008
【図８】
2006028030.tif 000009
【図９】
2006028030.tif 000010
【図１０】
2006028030.tif 000011
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
電力を供給する主電源と、
データを送受信するデータ送受信部と、
データを記憶するメモリ部と、
データを予め指定されたサーバ、端末または外部機器に送信する緊急データ送信部と、
緊急モードを設定するためのデータを前記データ送受信部が受信したとき、前記主電源を切れない状態にし、その状態で、前記メモリ部に記憶されたデータを予め指定されたサーバ、端末または外部機器に送信するよう前記緊急データ送信部を制御する制御部とを備える、
ことを特徴とする携帯端末装置。
【請求項２】
請求項１に記載の携帯端末装置において、
前記メモリ部は緊急用の電話番号を記憶し、
前記制御部は、前記データ送受信部が、前記緊急モードを設定するためのデータとして、前記緊急用の電話番号のデータを受信したとき、前記主電源を切れない状態にし、その状態で、前記メモリ部に記憶されたデータを予め指定されたサーバ、端末または外部機器に送信するよう前記緊急データ送信部を制御する、
ことを特徴とする携帯端末装置。
【請求項３】
請求項１に記載の携帯端末装置において、
前記メモリ部は緊急用のメールアドレスを記憶し、
前記制御部は、前記データ送受信部が、前記緊急モードを設定するためのデータとして、前記緊急用のメールアドレスのデータを受信したとき、前記主電源を切れない状態にし、その状態で、前記メモリ部に記憶されたデータを予め指定されたサーバ、端末または外部機器に送信するよう前記緊急データ送信部を制御する、
ことを特徴とする携帯端末装置。
【請求項４】
請求項１に記載の携帯端末装置において、
前記メモリ部は緊急用のパスコードを記憶し、
前記制御部は、前記データ送受信部が、前記緊急モードを設定するためのデータとして、前記緊急用のパスコードを受信したとき、前記主電源を切れない状態にし、その状態で、前記メモリ部に記憶されたデータを予め指定されたサーバ、端末または外部機器に送信するよう前記緊急データ送信部を制御する、
ことを特徴とする携帯端末装置。
【請求項５】
請求項１に記載の携帯端末装置において、
前記携帯端末装置の位置を検出して位置情報データを出力する位置検出部を備え、
前記制御部は、前記緊急モードを設定するためのデータを前記データ送受信部が受信したとき、前記位置情報データを予め指定されたサーバ、端末または外部機器に送信するよう前記緊急データ送信部を制御する、
ことを特徴とする携帯端末装置。
【請求項６】
請求項１に記載の携帯端末装置において、
周囲の状況を撮影して撮影画像データを出力する撮影部を備え、
前記制御部は、前記緊急モードを設定するためのデータを前記データ送受信部が受信したとき、前記撮影画像データを予め指定されたサーバ、端末または外部機器に送信するよう前記緊急データ送信部を制御する、
ことを特徴とする携帯端末装置。
【請求項７】
請求項１に記載の携帯端末装置において、
周囲の音声を検出して音声データを出力する音声検出部を備え、
前記制御部は、前記緊急モードを設定するためのデータを前記データ送受信部が受信したとき、前記音声データを予め指定されたサーバ、端末または外部機器に送信するよう前記緊急データ送信部を制御する、
ことを特徴とする携帯端末装置。
【請求項８】
請求項１に記載の携帯端末装置において、
２次電源を備え、
前記緊急モードを設定するためのデータを前記データ送受信部が受信した場合に、前記主電源が電力を供給できないとき、前記制御部は、電力を供給するよう前記２次電源を制御する、
ことを特徴とする携帯端末装置。
【請求項９】
請求項１に記載の携帯端末装置において、
警告音を発する警告音発生部を備え、
前記制御部は、前記緊急モードを設定するためのデータを前記データ送受信部が受信したとき、警告音を発するよう前記警告音発生部を制御する、
ことを特徴とする携帯端末装置。
【請求項１０】
請求項１に記載の携帯端末装置において、
前記メモリ部は、過去に前記メモリ部から予め指定されたサーバ、端末または外部機器に送信されたデータの履歴を示す退避履歴を記憶し、
前記制御部は、前記緊急モードを設定するためのデータを前記データ送受信部が受信したとき、前記退避履歴に残っているデータからデータ名またはデータサイズに変更があったデータ分を差分データとして、予め指定されたサーバ、端末または外部機器に送信するよう前記緊急データ送信部を制御する、
ことを特徴とする携帯端末装置。
【請求項１１】
請求項１に記載の携帯端末装置において、
前記携帯端末装置の水濡れ程度を検出する水濡れ検出部と、
前記水濡れ検出部の検出値がしきい値を超えたか否かにより、前記携帯端末装置が水没しているか否かを検知し、前記携帯端末装置の水没を検知したとき、前記緊急モードを設定するためのデータを前記データ送受信部に送信する水没検知部とを備える、
ことを特徴とする携帯端末装置。
【請求項１２】
請求項１に記載の携帯端末装置において、
前記携帯端末装置の移動加速度を計測する加速度計測部と、
前記加速度計測部により計測された加速度がしきい値を超えたか否かにより、前記携帯端末装置が落下しているか否かを検知し、前記携帯端末装置の落下を検知したとき、前記緊急モードを設定するためのデータを前記データ送受信部に送信する落下検知部とを備える、
ことを特徴とする携帯端末装置。
【手続補正２】
【補正対象書類名】明細書
【補正対象項目名】全文
【補正方法】変更
【補正の内容】
【発明の詳細な説明】
【技術分野】
【０００１】
本発明は、携帯端末装置に関し、特に、緊急モード時に、メモリに記憶された個人情報データ等の重要なデータを他の端末、サーバ、または外部機器等に退避させる携帯端末装置に関する。
【背景技術】
【０００２】
近年、携帯電話などの携帯端末装置は、高機能化が進み、電子マネーとしての機能やクレッジット機能等が付加されるようになったことで、その価値が高まってきた。さらに、携帯端末装置内のメモリに記憶された情報の価値も高まってきた。このため、携帯端末装置の紛失、盗難が発生した場合、その不正使用を防止し、かつ、メモリ内の個人情報等の重要な情報を保護する必要性が高まってきた。
【０００３】
従来、携帯端末装置である携帯電話の紛失、盗難が発生した場合に、携帯電話の不正使用を防ぎ、かつ、携帯電話の位置を所有者に通知する携帯電話システムが提案されている（例えば、特許文献１）。特許文献１の携帯電話システムでは、所有者が携帯電話の盗難または紛失に気づいて、他の電話から携帯電話に任意のパスワードを発信すると、携帯電話が操作部をロック状態にする。これにより、携帯電話の不正使用を防ぐ。さらに、このシステムでは、携帯電話が前記パスワードを受信すると、自己の位置を検出して位置情報を基地局に送信することで、所有者に携帯電話の位置を通知する。
【０００４】
また、紛失、盗難が発生した場合に、位置通知、不正使用の防止、及び個人情報の保護を行なう携帯電話も提案されている（特許文献２）。特許文献２の携帯電話は、事前に設定されたコマンド文字列を含む電子メールを受信すると、付属のカメラで撮影した画像を自動送信することで、その位置を所有者に通知する。さらに、この携帯電話は、前記電子メールを受信すると、個人情報を架空データに置き換えて表示することで、個人情報を保護する。また、前記電子メールを受信してから、一定時間経過後、電源を自動切断することで、不正使用されるのを防ぐ。
【０００５】
また、紛失、盗難が発生した場合に、メモリ内のデータを保護し、かつ、不正使用されるのを防ぐ携帯電話も提案されている（特許文献３）。特許文献３の携帯電話は、交換局に接続されている制御装置から、暗証番号とバックアップデータ要求とを受信すると、受信した暗証番号と予め記憶している暗証番号とを照合する。暗証番号が一致した場合、バックアップデータを基地局及び交換局を介してユーザ端末装置に転送したり、バックアップデータを暗号化したりする。その後、通話機能や表示機能を停止する。これにより、メモリ内のデータを保護し、かつ、不正使用されるのを防ぐ。
【特許文献１】特開２００３−１４３６４９号公報
【特許文献２】特開２００４−１１２１２６号公報
【特許文献３】特開２００４−３２４０２号公報
【特許文献４】特開２００１−１９７１７５号公報
【発明の開示】
【発明が解決しようとする課題】
【０００６】
前記特許文献１〜３の発明では以下に示す課題が生じる。前記特許文献１の発明では、携帯電話の盗難、紛失が発生した場合、不正使用を防ぐ操作や、位置を通知する操作を携帯電話に開始させるために、所有者は他の電話機から携帯電話に任意のパスワードを発信する必要がある。同様に、特許文献２の発明では、コマンド文字列を含むメールを携帯電話に送信する必要がある。また、特許文献３の発明では、メモリ内のデータを保護する操作を携帯電話に開始させるために、制御装置から暗証番号を携帯電話に送信する必要がある。しかし、不正使用者は携帯電話の電源を常に入れているとは限らず、不正使用するときにのみ携帯電話の電源を入れる可能性がある。携帯電話は電源が入っている状態でなければ、メール、電話、パスワード、または暗証番号を受信することができないことから、特許文献１〜３の発明では、不正使用者が携帯電話の電源を入れていない場合、携帯電話は、不正使用の防止や、位置通知や、データ保護の動作を開始することができない。
【０００７】
また、前記特許文献１の発明では、携帯電話は任意のパスワードを受信すると、不正使用を防ぐために操作部をロック状態にし、位置情報を送信するが、これらの操作は電源が入っている状態でなければ行うことができない。よって、任意のパスワードを受信しても、不正使用者によって電源が切られると、携帯電話は不正使用を防ぐための動作と位置を通知する動作とができなくなる。同様に、前記特許文献２の発明においても、携帯電話はコマンド文字列を含むメールを受信しても、不正使用者によって電源が切られると、カメラ画像を送信して位置を通知する動作や、個人情報を架空データに置換え表示して個人情報を保護する動作ができなくなる。また、前記特許文献３の発明においても、携帯電話は暗証番号を受信しても、不正使用者によって電源が切られると、バックアップデータを転送したりバックアップデータを暗号化したりして、データを保護する動作ができなくなる。
【０００８】
従って、上記問題を解決するために、本発明では、紛失、盗難、及び重要データを損失する可能性のある事故が発生したときに、不正使用を防止する動作と重要なデータを保護する動作を確実に行うことができる携帯端末装置を提供することを目的とする。
【課題を解決するための手段】
【０００９】
本発明に係る携帯端末装置は、電力を供給する主電源と、データを送受信するデータ送受信部と、データを記憶するメモリ部と、データを予め指定されたサーバ、端末または外部機器に送信する緊急データ送信部と、緊急モードを設定するためのデータを前記データ送受信部が受信したとき、前記主電源を切れない状態にし、その状態で、前記メモリ部に記憶されたデータを予め指定されたサーバ、端末または外部機器に送信するよう前記緊急データ送信部を制御する制御部とを備えることを特徴とする。
【００１０】
本発明に係る携帯端末装置は、前記携帯端末装置において、前記メモリ部は緊急用の電話番号を記憶し、前記制御部は、前記データ送受信部が、前記緊急モードを設定するためのデータとして、前記緊急用の電話番号のデータを受信したとき、前記主電源を切れない状態にし、その状態で、前記メモリ部に記憶されたデータを予め指定されたサーバ、端末または外部機器に送信するよう前記緊急データ送信部を制御することを特徴とする。
【００１１】
本発明に係る携帯端末装置は、前記携帯端末装置において、前記メモリ部は緊急用のメールアドレスを記憶し、前記制御部は、前記データ送受信部が、前記緊急モードを設定するためのデータとして、前記緊急用のメールアドレスのデータを受信したとき、前記主電源を切れない状態にし、その状態で、前記メモリ部に記憶されたデータを予め指定されたサーバ、端末または外部機器に送信するよう前記緊急データ送信部を制御することを特徴とする。
【００１２】
本発明に係る携帯端末装置は、前記携帯端末装置において、前記メモリ部は緊急用のパスコードを記憶し、前記制御部は、前記データ送受信部が、前記緊急モードを設定するためのデータとして、前記緊急用のパスコードを受信したとき、前記主電源を切れない状態にし、その状態で、前記メモリ部に記憶されたデータを予め指定されたサーバ、端末または外部機器に送信するよう前記緊急データ送信部を制御することを特徴とする。
【００１３】
本発明に係る携帯端末装置は、前記携帯端末装置において、前記携帯端末装置の位置を検出して位置情報データを出力する位置検出部を備え、前記制御部は、前記緊急モードを設定するためのデータを前記データ送受信部が受信したとき、前記位置情報データを予め指定されたサーバ、端末または外部機器に送信するよう前記緊急データ送信部を制御することを特徴とする。
【００１４】
本発明に係る携帯端末装置は、前記携帯端末装置において、周囲の状況を撮影して撮影画像データを出力する撮影部を備え、前記制御部は、前記緊急モードを設定するためのデータを前記データ送受信部が受信したとき、前記撮影画像データを予め指定されたサーバ、端末または外部機器に送信するよう前記緊急データ送信部を制御することを特徴とする。
【００１５】
本発明に係る携帯端末装置は、前記携帯端末装置において、周囲の音声を検出して音声データを出力する音声検出部を備え、前記制御部は、前記緊急モードを設定するためのデータを前記データ送受信部が受信したとき、前記音声データを予め指定されたサーバ、端末または外部機器に送信するように前記緊急データ送信部を制御することを特徴とする。
【００１６】
本発明に係る携帯端末装置は、前記携帯端末装置において、２次電源を備え、前記緊急モードを設定するためのデータを前記データ送受信部が受信した場合に、前記主電源が電力を供給できないとき、前記制御部は、電力を供給するよう前記２次電源を制御することを特徴とする。
【００１７】
本発明に係る携帯端末装置は、前記携帯端末装置において、警告音を発する警告音発生部を備え、前記制御部は、前記緊急モードを設定するためのデータを前記データ送受信部が受信したとき、警告音を発するよう前記警告音発生部を制御することを特徴とする。
【００１８】
本発明に係る携帯端末装置は、前記携帯端末装置において、前記メモリ部は、過去に前記メモリ部から予め指定されたサーバ、端末または外部機器に送信されたデータの履歴を示す退避履歴を記憶し、前記制御部は、前記緊急モードを設定するためのデータを前記データ送受信部が受信したとき、前記退避履歴に残っているデータからデータ名またはデータサイズに変更があったデータ分を差分データとして、予め指定されたサーバ、端末または外部機器に送信するよう前記緊急データ送信部を制御することを特徴とする。
【００１９】
本発明に係る携帯端末装置は、前記携帯端末装置において、前記携帯端末装置の水濡れ程度を検出する水濡れ検出部と、前記水濡れ検出部の検出値がしきい値を超えたか否かにより、前記携帯端末装置が水没しているか否かを検知し、前記携帯端末装置の水没を検知したとき、前記緊急モードを設定するためのデータを前記データ送受信部に送信する水没検知部とを備えることを特徴とする。
【００２０】
本発明に係る携帯端末装置は、前記携帯端末装置において、前記携帯端末装置の移動加速度を計測する加速度計測部と、前記加速度計測部により計測された加速度がしきい値を超えたか否かにより、前記携帯端末装置が落下しているか否かを検知し、前記携帯端末装置の落下を検知したとき、前記緊急モードを設定するためのデータを前記データ送受信部に送信する落下検知部とを備えることを特徴とする。
【発明の効果】
【００２１】
以上のように、本発明の携帯端末装置によれば、緊急モードを設定するためのデータをデータ送受信部が受信したときに、電源を切れない状態にし、その状態で、メモリ部に記憶されたデータを予め指定されたサーバ、端末または外部機器に送信するようにしたことから、携帯端末装置の紛失、盗難、水没、または落下が発生しても、緊急モードでの動作を確実に行って、個人情報データ等の重要なデータを保護することができる。
【００２２】
また、本発明の携帯端末装置によれば、携帯端末装置の位置を検出して位置情報データを出力する位置検出部と、周囲の状況を撮影して撮影画像データを出力する撮影部と、周囲の音声を検出して音声データを出力する音声検出部とを備え、緊急モードを設定するためのデータをデータ送受信部が受信したときに、電源を切れない状態とし、その状態で、前記位置情報データ、前記撮影画像データ、または前記音声データを予め指定されたサーバ、端末または外部機器に送信するようにしたことから、携帯端末装置の紛失、盗難が発生したときに、緊急モードでの動作を確実に行って、予め指定されたサーバ、端末または外部機器に現在位置を通知し続けることができる。
【００２３】
また、本発明の携帯端末装置によれば、警告音を発する警告音発生部を備え、緊急モードを設定するためのデータをデータ送受信部が受信したときに、電源を切れない状態とし、その状態で、前記警告音発生部が警告音を発するようにしたことから、携帯端末装置の紛失、盗難が発生したときに、緊急モードでの動作を確実に行って、警告音を発し続けることができる。その結果、不正使用者による不正使用を防ぐことができる。
【００２４】
また、本発明の携帯端末装置によれば、緊急モードを設定するためのデータを受信して、メモリ部に記憶されたデータを予め指定されたサーバ、端末または外部機器に送信するとき、過去に前記メモリ部から予め指定されたサーバ、端末または外部機器に送信されたデータの履歴を示す退避履歴を検索し、前記退避履歴に残っているデータからデータ名またはデータサイズに変更があったデータ分を差分データとして送信するようにしたことから、緊急モード時に退避させるデータ量を減らし、データの退避時間を短縮することができる。
【発明を実施するための最良の形態】
【００２５】
（実施の形態１）
図１は、本発明の実施の形態１に係る携帯端末装置の構成図である。図１では、携帯端末装置の一例として携帯電話を示しているが、ノート型パソコン、またはその他の移動端末装置でも良い。
【００２６】
本発明の実施の形態１に係る携帯端末装置１００１ａは、通常モード時に携帯端末装置の各部を制御する通常モード制御部１０１と、緊急モード時に携帯端末装置の各部を制御する緊急モード制御部１０２と、データ送受信部１０３と、メモリ部１０４と、メモリカードの装着及び取り外しが可能なメモリカード部１０５と、携帯端末装置の所在位置を検出する位置検出部１０６と、カメラ撮影部１０７と、周囲の音声を検出する音声検出部１０８と、主電源１０９と、２次電源１１０と、緊急モード時に警告音を発する警告音発生部１１１と、緊急データ送信部１１２と、表示部１１３とを備える。
【００２７】
データ送受信部１０３は、電話機、サーバ、他の端末、または外部機器との間で、電話や、メールや、その他のデータを送受信する。また、携帯端末装置内の各部からデータを受信することもできる。
【００２８】
メモリ部１０４またはメモリカード部１０５は以下のデータを記憶する。電話帳、メールアドレス帳、電話及びメールの送受信履歴、個人情報、緊急用の電話番号、緊急用のメールアドレス、緊急用のパスコード、カメラ画像、緊急モード時にデータを退避させる退避先データ（例えば、サーバ、端末、外部機器に情報）、並びに、過去に退避させたデータの履歴を示す退避履歴である。緊急用の電話番号、緊急用のメールアドレス、及び緊急用のパスコードは、通常モード時に、通常モード制御部１０１が所有者からの指示に従ってメモリ部１０４またはメモリカード部１０５に記憶する。
【００２９】
メモリカード部１０５は、メモリカードを差し込み口（スロット）から取り外せないようにするロック機能を有する。具体的には、メモリカードを、その形状を利用して固定する機能、例えば、メモリカードの切り欠き部分を引っ掛ける機能や、メモリカードを取り出させなくする蓋を閉じる機能を有する。なお、メモリカード部１０５に差し込まれるメモリカードは、使用可能な携帯端末装置が登録されているものであっても良い。
【００３０】
緊急データ送信部１１２は、緊急モード時に、緊急モード制御部１０２の制御に基づいて、データを予め指定されたサーバ、端末、または外部機器に送信する。外部機器としては、例えば家電機器が挙げられる。
【００３１】
以上のように構成される本発明の実施の形態１に係る携帯端末装置１００１ａにおいて、紛失、盗難が発生したときの動作について説明する。なお、通常モード時の動作は本発明の主旨ではないので説明を省略する。
【００３２】
まず、携帯端末装置の紛失、盗難が発生したときに、携帯端末装置に対して緊急モードを設定する動作について図１０を用いて説明する。携帯端末装置の紛失、盗難が発生したとき、所有者は、携帯端末装置１００１に緊急モードを設定するためのデータを送信する。緊急モードを設定するためのデータとしては、緊急用の電話番号のデータ、緊急用のメールアドレスのデータ、または緊急用のパスコードが挙げられる。例えば、所有者は、緊急用の電話番号の電話機１００２から携帯端末装置１００１に電話をかけることで、緊急用の電話番号のデータを携帯端末装置１００１に送信したり、緊急用のメールアドレスを有するパーソナルコンピュータ１００３やサーバ１００４や移動端末１００５から携帯端末装置１００１にメールを送信することで、緊急用のメールアドレスのデータを携帯端末装置１００１に送信する。また、インターネット経由で、緊急用の電話番号のデータ、緊急用のメールアドレスのデータ、または緊急用のパスコードを、パーソナルコンピュータ１００３、サーバ１００４、または移動端末１００５から送信することでも良い。なお、緊急用のパスコードとしては、文字列、数字列、または文字列と数字列の組み合わせが挙げられる。
【００３３】
次に、本発明の実施の形態１に係る携帯端末装置１００１ａにおいて、緊急用のデータを受信したときの動作について図２を用いて説明する。
まず、データ送受信部１０３が、外部からのデータを受信し（ステップＳ２０１）、受信したデータが緊急モードを設定するためのデータか否かを判定する（ステップＳ２０２）。例えば、データ送受信部１０３は、受信したデータがメモリ部１０４またはメモリカード部１０５に記憶された緊急用の電話番号のデータ、緊急用のメールアドレスのデータ、または緊急用のパスコードかを判定する。データ送受信部１０３は、緊急モードを設定するためのデータを受信すると、緊急モード指示信号を緊急モード制御部１０２に出力する。緊急モード制御部１０２は、緊急モード指示信号を受け取ると、各部を緊急モードに設定し（ステップＳ２０３）、主電源１０９を切れない状態にする（ステップＳ２０４）。
【００３４】
以下、ステップＳ２０４の電源制御について図３を用いて詳細に説明する。緊急モード制御部１０２は、電源を切れない状態にする制御を行うとき、まず、主電源１０９が有効かどうかを判定する（ステップＳ３０１）。具体的には、主電源１０９の電力残量がしきい値を超えている場合に有効と判定する。主電源１０９が有効である場合、緊急モード制御部１０２は、電源を切るためのキー操作を無効にしたり、電源部分を取り外せなくする制御を行うことで、主電源１０９を切る操作を無効にし、主電源１０９は電力を各部に供給し続ける（ステップＳ３０２）。一方、主電源１０９が有効でない場合、緊急モード制御部１０２は２次電源１１０が有効かどうかを判定する（ステップＳ３０３）。２次電源１１０が有効、すなわち、２次電源１１０の電力残量がしきい値を超える場合、緊急モード制御部１０２は電力を各部に供給するよう２次電源１１０を制御し、２次電源１１０は緊急モード制御部１０２の制御に基づいて各部に対して電力を供給し続ける（ステップＳ３０４）。一方、ステップＳ３０３で、２次電源１１０が存在しない、または２次電源１１０の電力残量がしきい値以下であるために、２次電源１１０が有効でないと判定した場合、緊急モード制御部１０２は、主電源１０９を切り、電源入のキー操作を制限して、再起動をできなくする（ステップＳ３０５）。
【００３５】
ステップＳ２０４で電源を切れない状態にした後、緊急モード制御部１０２は特定の操作及びメモリカード部１０５の取り出し操作をロック状態にする（ステップＳ２０５）。特定の操作とは、例えば、電話帳やメールアドレス帳の閲覧操作、電子マネー機能の使用操作である。また、メモリカード部１０５をロック状態にする操作とは、ある特定の認証を行わないと、メモリカードをメモリカード部１０５の差し込み口から取り外せないようにする操作のことである。
【００３６】
次に、緊急モード制御部１０２は、緊急データ送信部１１２を制御して、メモリ部１０４またはメモリカード部１０５に記憶されたデータを、予め設定された優先順に従って、予め指定されたサーバ、端末、または外部機器に送信させる（ステップＳ２０６）。これにより、重要なデータを退避させる。
【００３７】
以下、ステップＳ２０６のデータ退避処理について図４を用いて詳細に説明する。緊急モード制御部１０２は、メモリ部１０４またはメモリカード部１０５に記憶されたデータを、緊急データ送信部１１２から予め指定されたサーバ、端末または外部機器に退避させるとき、メモリ部１０４またはメモリカード部１０５内にデータの退避履歴が残っているかを判定する（ステップＳ４０１）。退避履歴が残っている場合、緊急モード制御部１０２は所有者が予めデータの退避優先順位を設定しているかを判定する（ステップＳ４０２）。優先順位が設定されている場合、緊急モード制御部１０２は、退避履歴から変更のあったデータ、すなわち前記退避履歴に残っているデータからデータ名またはデータサイズに変更があったデータ分を差分データと判定し、緊急データ送信部１１２を制御して、前記差分データを所有者が設定した優先順位で予め指定されたサーバ、端末または外部機器に退避させる（ステップＳ４０３）。このように、差分データのみを退避させることで、データの退避時間を短縮することができる。一方、ステップＳ４０２で所有者が予めデータの退避優先順位を設定していないと判定した場合、緊急モード制御部１０２は、デフォルト順で前記差分データを予め指定されたサーバ、端末または外部機器に退避させる（ステップＳ４０４）。また、緊急モード制御部１０２は、ステップＳ４０１で退避履歴が残っていないと判定した場合、所有者が予めデータの退避優先順位を設定しているかを判定する（ステップＳ４０５）。優先順位が設定されている場合、緊急データ送信部１１２を制御して、全データを所有者が設定した優先順位で予め指定されたサーバ、端末または外部機器に退避させる（ステップＳ４０６）。一方、ステップＳ４０５で所有者が優先順位を設定してないと判定した場合、緊急モード制御部１０２は、全データをデフォルト順で予め指定されたサーバ、端末または外部機器に退避させる（ステップＳ４０７）。
【００３８】
なお、データの退避優先順位を所有者が設定する場合は、通常モード時に、通常モード制御部１０１が所有者からの指示を受け付けて優先順位を設定し、その旨を示すデータをメモリ部１０４またはメモリカード部１０５に記憶する。また、デフォルト設定する場合は、メーカ側が予め優先順位を設定して、その旨を示すデータをメモリ部１０４またはメモリカード部１０５に記憶しておく。
【００３９】
ステップＳ２０６のデータ退避処理と並行して位置検出処理も行う。この処理において、まず、緊急モード制御部１０２が位置検出機能（位置検出部１０６）の存在を判定する（ステップＳ２１２）。位置検出部１０６が存在する場合、緊急モード制御部１０２の制御に基づいて、まず、位置検出部１０６が携帯端末装置の所在位置を検出して位置情報データを生成し、次に、緊急データ送信部１１２が位置情報データを予め指定されたサーバ、端末または外部機器に送信する（ステップＳ２１３）。位置情報データの送信はステップＳ２１１で緊急モードが解除されるまで行われる。なお、位置情報データは、緊急モード制御部１０２の制御に基づいて、一旦、メモリ部１０４またはメモリカード部１０５に記憶されてから、予め指定されたサーバ、端末または外部機器に送信されることでも良い。
【００４０】
位置検出部１０６としては、例えば、人工衛星からの電波を用いた位置測定システムである、ＧＰＳ（Global Positioning System）が挙げられる。この場合、携帯端末装置は、衛星からＧＰＳ情報を受信し、さらに、基地局から基地局情報を受信して、ＧＰＳ情報及び基地局情報を予め指定されたサーバ、端末または外部機器に送信する。
【００４１】
さらに、ステップＳ２０６のデータ退避処理と並行してカメラによる画像撮影処理を行う。この処理において、まず、緊急モード制御部１０２がカメラ機能（カメラ撮影部１０７）の存在を判定する（ステップＳ２１４）。カメラ撮影部１０７が存在する場合、緊急モード制御部１０２の制御に基づいて、まず、カメラ撮影部１０７が周囲の状況を撮影し、次に、緊急データ送信部１１２が撮影画像データを予め指定されたサーバ、端末または外部機器に送信する（ステップＳ２１５）。なお、撮影画像データは、緊急モード制御部１０２の制御に基づいて、一旦、メモリ部１０４またはメモリカード部１０５に記憶されてから、予め指定されたサーバ、端末または外部機器に送信されることでも良い。
【００４２】
以下、ステップＳ２１５のカメラ撮影及び撮影画像データの送信処理について図５を用いて詳細に説明する。携帯端末装置にカメラ機能（カメラ撮影部１０７）が存在する場合、緊急モード制御部１０２は、カメラ撮影部１０７が動画機能を有するかを判定する（ステップＳ５０１）。動画機能がある場合、カメラ撮影部１０７は、動画モードで周囲の状況を撮影し（ステップＳ５０２）、動画機能がない場合は、静止画モードで周囲の状況を撮影する（ステップＳ５０３）。撮影画像データ（動画または静止画）はメモリ部１０４またはメモリカード部１０５に記憶される（ステップＳ５０４）。その後、緊急モード制御部１０２は、撮影画像データを予め指定されたサーバ、端末、または外部機器に送信できるかを判定する（ステップＳ５０５）。送信可能な場合、緊急モード制御部１０２は、緊急データ送信部１１２を制御して、撮影画像データをメールやリアルタイム通信で送信させる（ステップＳ５０６）。一方、ステップＳ５０５で送信不可能と判定した場合、緊急モード制御部１０２は、撮影画像データを送信可能になるまでメモリ部１０４またはメモリカード部１０５にバッファリングさせ、送信可能になれば緊急データ送信部１１２に撮影画像データを送信させる（ステップＳ５０７）。
【００４３】
また、ステップＳ２０６のデータ退避処理と並行して音声検出部１０８による音声検出処理を行う。この処理において、まず、緊急モード制御部１０２が音声検出機能（音声検出部１０８）の存在を判定する（ステップＳ２１６）。音声検出部１０８としては、例えば、ボイスレコーダーが挙げられる。音声検出部１０８が存在する場合、緊急モード制御部１０２の制御に基づいて、まず、音声検出部１０８が周囲の音声を検出し、次に、緊急データ送信部１１２が音声データを予め指定されたサーバ、端末または外部機器に送信する（ステップＳ２１７）。なお、音声データは、緊急モード制御部１０２の制御に基づいて、一旦、メモリ部１０４またはメモリカード部１０５に記憶されてから、予め指定されたサーバ、端末または外部機器に送信されることでも良い。
【００４４】
次に、緊急モード制御部１０２はデータの退避が完了したかを判定し（ステップＳ２０７）、完了したと判定した場合、データの退避が完了した旨を示すメールを作成して、データ送受信部１０３を介して予め指定されたサーバや端末に送信する（ステップＳ２０８）。
メール送信後、緊急モード制御部１０２の制御に基づいて、警告音発生部１１１が警告音を出し続ける（ステップＳ２０９）。
【００４５】
所有者は、携帯端末装置が発見されたなどの理由により、緊急モードを解除するとき、緊急モードを解除するためのデータを携帯端末装置に送信する。緊急モードを解除するデータとしては、緊急モードを設定したときに送信したデータでも良いし、別のデータでも良い。例えば、図１０において、緊急用の電話機１００２から電話をかけて緊急モードを設定したとき、緊急用の電話機１００２から電話をかけることで緊急モードを解除しても良いし、パーソナルコンピュータ１００３、サーバ１００４、または移動端末１００５からメールを送信することで、緊急モードを解除しても良い。
【００４６】
緊急モード制御部１０２は、所有者からデータ送受信部１０３が所有者から緊急モードを解除するためのデータを受信したかを判定する（ステップＳ２１０）。受信したと判定した場合、緊急モードを解除する（ステップＳ２１１）。
【００４７】
以上のように、本発明の実施の形態１に係る携帯端末装置は、データ送受信部１０３が緊急モードを設定するためのデータを受信したとき、緊急モード制御部１０２が、電源を切れない状態にし、その状態で緊急データ送信部１１２を制御して、メモリ部１０４またはメモリカード部１０５に記憶されたデータを予め指定されたサーバ、端末または外部機器に退避させるようにした。これにより、本発明の実施の形態１に係る携帯端末装置によれば、紛失、盗難が発生したときに、不正使用者が電源を切る動作を行っても電源が切れないようにし、個人情報データ等の重要データを予め指定されたサーバ、端末、または外部機器に退避して保護することができる。
【００４８】
また、本発明の実施の形態１に係る携帯端末装置は、位置検出を行う位置検出部１０６と、周囲の状況を撮影するカメラ撮影部１０７と、周囲の音声を検出する音声検出部１０８とを備え、データ送受信部１０３が緊急モードを設定するためのデータを受信したとき、緊急モード制御部１０２が、電源を切れない状態にし、その状態で緊急データ送信部１１２を制御して、位置情報データ、撮影画像データ、または音声データを、予め指定されたサーバ、端末、または外部機器に送信させるようにした。これにより、本発明の実施の形態１に係る携帯端末装置によれば、紛失、盗難が発生したときに、不正使用者が電源を切る動作を行っても電源が切れないようにし、予め指定されたサーバ、端末、または外部機器に現在位置を通知し続けることができる。
【００４９】
また、本発明の実施の形態１に係る携帯端末装置によれば、データ送受信部１０３が緊急モードを設定するためのデータを受信したとき、緊急モード制御部１０２が、電源を切れない状態にし、その状態で、警告音発生部１１１を制御して、警告音を出させるようにした。これにより、本発明の実施の形態１に係る携帯端末装置によれば、紛失、盗難が発生したときに、不正使用者が電源を切る動作を行っても電源が切れないようにすることができる。さらに、警告音を発し続けて不正使用を防ぐことができる。
【００５０】
なお、実施の形態１において、携帯端末装置は、データ送受信部１０３が、緊急モードを設定するデータとして、緊急用の電話番号のデータ、緊急用のメールアドレスのデータ、または緊急用パスコードを外部から受信したときに、緊急モードを設定すると説明したが、本発明はこれに限るものではなく、その他の特定のデータをデータ送受信部１０３が受信したときに、緊急モードを設定することでも良い。
【００５１】
また、実施の形態１において、携帯端末装置は、緊急モード時に、メモリ部１０４またはメモリカード部１０５内のデータを退避すると説明したが、本発明はこれに限るものではない。データの退避ができない場合に、緊急モード制御部１０２が、メモリ部１０４またはメモリカード部１０５内のデータを暗号化または強制消去することでも良い。これにより、データを退避できなくても、不正使用者によるデータの読み出し、及び不正利用を防ぐことができる。また、緊急モード制御部１０２が、データ退避後に、メモリ部１０４またはメモリカード部１０５内のデータを暗号化または強制消去することでも良い。これにより、不正使用者によるデータの読み出し、及び不正利用をより確実に防ぐことができる。なお、データを暗号化した場合は、緊急モード解除時に、緊急モード制御部１０２が暗号を解く。
【００５２】
また、実施の形態１において、携帯端末装置は、緊急モード時に、緊急データ送信部１１２によって、メモリ部１０４またはメモリカード部１０５内のデータを退避すると説明したが、本発明はこれに限るものではなく、データ送受信部１０３によってデータを退避することでも良い。
【００５３】
また、実施の形態１において、携帯端末装置は、緊急モード時に、メモリカード部１０５をロック状態にすると説明したが、本発明はこれに限るものではなく、電源オフ時にロック状態にすることでも良い。
【００５４】
また、実施の形態１において、携帯端末装置は、データの退避が完了した旨を示すメールを送信後、警告音を出し続けると説明したが、本発明はこれに限るものではない。データの退避が完了した後、緊急モード制御部１０２が、主電源１０９を切り、再起動をできなくする電源操作を行うことでも良い。
【００５５】
また、実施の形態１において、携帯端末装置は、ステップＳ２０１〜ステップＳ２１０の処理後に、緊急モードを解除すると説明したが、本発明はこれに限るものではなく、所有者からの緊急モード解除の指示があればいつでも緊急モードを解除して良い。
【００５６】
また、実施の形態１において、携帯端末装置は、緊急データ送信部１１２によって位置情報データ、撮影画像データ、及び音声データを、サーバー、端末、または外部機器に送信すると説明したが、本発明はこれに限るものではなく、データ送受信部１０３によってそれらのデータを送信することでも良い。
【００５７】
また、本発明の携帯端末装置は、緊急モード時に、データを退避している旨を示す警告メッセージを、緊急モード制御部１０２が表示部１１３に表示させるようにしても良い。
【００５８】
（実施の形態２）
図６は、本発明の実施の形態２に係る携帯端末装置１００１ｂの構成図である。本発明の実施の形態２に係る携帯端末装置１００１ｂは、図１に示す実施の形態１に係る携帯端末装置１００１ａに、さらに水濡れ検出部６０１と、水没検知部６０２とを備えることを特徴とする。
【００５９】
水濡れ検出部６０１は携帯端末装置１００１ｂの水濡れ程度を検出し検出値を水没検知部６０２に出力する。水没検知部６０２は、水濡れ検出部６０１の検出値がしきい値を超えたかどうかを判定し、しきい値を越えた場合、携帯端末装置１００１ｂが水没したと検知する。水没検知部６０２は携帯端末装置１００１ｂの水没を検知すると、緊急モードを設定するためのデータをデータ送受信部１０３に出力する。
【００６０】
以下、本発明の実施の形態２における水没検知方法について、具体的に説明する。
一般的に、携帯端末装置は、水に濡れると色が濃くなる水濡れ判定シールを有している。この水濡れ判定シールを水濡れ検出部６０１とすると、水没検知部６０２はこのシールの色を認識するカメラ等の装置を設け、シールの色の濃さを検出値とし、該検出値が予め設定されたしきい値を超えたかを判定する。そして、しきい値を超えた場合、水没したと検知する。
【００６１】
また、水濡れ検出部６０１としては、例えば、特開２００１−１９７１７５号公報（特許文献４）に記載の湿度センサーを用いることができる。この湿度センサーは、湿気を含む水分量を検出し、電気信号に変換する半導体ガスセンサー等からなるものである。水没検知部６０２は、湿度センサーからの電気信号を入力して電気信号レベルとしきい値とを比較し、しきい値を超えた場合、水没したと検知する。
【００６２】
次に、本発明の実施の形態２に係る携帯端末装置１００１ｂの動作について図７を用いて説明する。本発明の実施の形態２に係る携帯端末装置１００１ｂでは、水没によるデータの損失に備えて、水濡れ検出部６０１が携帯端末装置の水濡れ程度を検出する（ステップＳ７０１）。水没検知部６０２は水濡れ検出部６０１の検出値がしきい値を超えたかどうを判定する（ステップＳ７０２）。検出値がしきい値を超えた場合、緊急モードを設定するためのデータをデータ送受信部１０３に送信する。
【００６３】
以降、携帯端末装置１００１ｂは、図２に示すステップＳ２０３、ステップＳ２０４、ステップＳ２０６〜ステップＳ２０８、ステップＳ２１０、ステップＳ２１１の処理を行う。すなわち、まず、緊急モードを設定し、主電源１０９または２次電源１１０から各部に対する電力の供給が途切れないようにする。次に、メモリ部１０４またはメモリカード部１０５内の全データまたは退避履歴から変更のあったデータを、予め設定された優先順に従って、予め指定されたサーバ、端末または外部機器に退避する。そして、データの退避が完了するとその旨を示すメールを送信する。その後、所有者からの緊急モード解除指示に従って、緊急モードを解除する。
【００６４】
以上のように本発明の実施の形態２に係る携帯端末装置は、水没検知部６０２が携帯端末装置の水没を検知したとき、緊急モード制御部１０２が、電源を切れない状態にし、その状態で緊急データ送信部１１２を制御して、メモリ部１０４またはメモリカード部１０５に記憶されたデータを、予め指定されたサーバ、端末または外部機器に退避させるようにした。これにより、本発明の実施の形態２に係る携帯端末装置によれば、水没したときでも、緊急モードでの動作を確実に行って、個人情報データ等の重要なデータを他の端末、サーバ、または外部機器に退避させて保護することができる。
【００６５】
なお、実施の形態２で、水没検知部６０２は、水没を検知したときに、データ送受信部１０３に緊急モードを設定するためのデータを送信すると説明したが、本発明はこれに限るものではない。水没検知部６０２が、水没を検知したときに、緊急モード制御部１０２に緊急モード指示信号を出力することでも良い。
【００６６】
また、本発明の携帯端末装置は、水没検知部６０２が携帯端末装置の水没を検知したとき、データ退避と並行して、位置検出部１０６によって位置検出を行い、カメラ撮影部１０７によって周囲の状況を撮影し、音声検出部１０８によって周囲の音声を検出し、位置情報データ、撮影画像データ、または音声データを予め指定されたサーバ、端末、または外部機器に送信するようにしても良い。
【００６７】
また、本発明の携帯端末装置は、データ退避後に、緊急モード制御部１０２が、電源を切るよう主電源１０９を制御しても良い。これにより、携帯端末装置が水によってショートする可能性を低くすることができる。
【００６８】
また、本発明の携帯端末装置は、水没検知部６０２が携帯端末装置の水没を検知した場合、警告音発生部１１１が警告音を発するようにしても良い。
【００６９】
（実施の形態３）
図８は、本発明の実施の形態３に係る携帯端末装置１００１ｃの構成図である。本発明の実施の形態３に係る携帯端末装置１００１ｃは、図１に示す実施の形態１に係る携帯端末装置１００１ａに、さらに加速度計測部８０１と、落下検知部８０２とを備えることを特徴とする。
【００７０】
加速度計測部８０１は携帯端末装置１００１ｃの移動加速度を計測する。落下検知部８０２は、加速度計測部８０１が計測した加速度が、予め設定したしきい値を超えたとき、携帯端末装置１００１ｃが落下していると検知する。携帯端末装置１００１ｃの落下を検知した場合、落下検知部８０２は、緊急モードを設定するためのデータを、データ送受信部１０３に出力する。
【００７１】
次に、本発明の実施の形態３に係る携帯端末装置１００１ｃの動作について図９を用いて説明する。本発明の実施の形態３に係る携帯端末装置１００１ｃでは、落下によるデータの損失に備えて、加速度計測部８０１が、携帯端末装置の移動加速度を計測する（ステップＳ９０１）。落下検知部８０２は加速度計測部８０１が計測した加速度がしきい値を超えたかどうかを判定する（ステップＳ９０２）。加速度がしきい値を超えた場合、該落下検知部８０２は、緊急モードを設定するためのデータを、データ送受信部１０３に送信する。
【００７２】
以降、携帯端末装置１００１ｃは、図２に示すステップＳ２０３、ステップＳ２０４、ステップＳ２０６〜ステップＳ２０８、ステップＳ２１０、ステップＳ２１１の処理を行う。すなわち、まず、緊急モードを設定し、主電源１０９または２次電源１１０から各部に対する電力の供給が途切れないようにする。次に、メモリ部１０４またはメモリカード部１０５内の全データまたは退避履歴から変更があったデータを、予め設定された優先順に従って、予め指定されたサーバ、端末または外部機器に退避する。そして、データの退避が完了するとその旨を示すメールを送信する。その後、所有者からの緊急モード解除指示に従って、緊急モードを解除する。
【００７３】
以上のように、本発明の実施の形態３に係る携帯端末装置は、落下検知部８０２が携帯端末装置の落下を検知したとき、緊急モード制御部１０２が、電源を切れない状態にし、その状態で緊急データ送信部１１２を制御して、メモリ部１０４またはメモリカード部１０５に記憶されたデータを、予め指定されたサーバ、端末または外部機器に退避させるようにした。これにより、本発明の実施の形態３に係る携帯端末装置によれば、落下中でも緊急モードでの動作を確実に行って、個人情報データ等の重要なデータを他の端末、サーバ、または外部機器に退避させて保護することができる。
【００７４】
なお、実施の形態３で、落下検知部８０２は、落下を検知したときに、データ送受信部１０３に緊急モードを設定するためのデータを送信すると説明したが、本発明はこれに限るものではない。落下検知部８０２が、落下を検知したときに、緊急モード制御部１０２に緊急モード指示信号を出力することでも良い。
【００７５】
また、本発明の携帯端末装置は、落下検知部８０２が携帯端末装置の落下を検知したとき、データ退避と平行して、位置検出部１０６によって位置検出を行い、カメラ撮影部１０７によって周囲の状況を撮影し、音声検出部１０８によって周囲の音声を検出し、位置情報データ、撮影画像データ及び音声データを予め指定されたサーバ、端末、外部機器に送信するようにしても良い。
【００７６】
また、本発明の携帯端末装置は、落下検知部８０２が携帯端末装置の落下を検知したとき、警告音発生部１１１によって警告音を発生するようにしても良い。
【００７７】
また、前記実施の形態１〜３で、携帯端末装置は、データ送受信部１０３が、緊急モードを設定するデータとして、緊急用の電話番号のデータ、緊急用のメールアドレスのデータ、または緊急用パスコードを外部から受信したときや、水没検知部６０２、または落下検知部８０２から緊急モードを設定するためのデータを受信したときに、緊急モードを設定すると説明したが、本発明はこれに限るものではない。
【００７８】
例えば、本発明が、所有者の認証（指紋、虹彩、声など）を行なった後、電源のオン／オフ操作、及び通常操作を可能にする携帯端末装置であれば、通常モード制御部１０１が、認証後に電源オフ操作が行なわれたか否かを検知し、認証前に電源オフ操作が行なわれた場合に、緊急モードを設定するためのデータをデータ送受信部１０３に送信するようにしても良い。
【００７９】
また、本発明が、所有者から緊急モードの指示を受け付ける入力部を有する携帯端末装置であれば、入力部が、緊急モードの指示を受け付けたときに、緊急モードを設定するためのデータをデータ送受信部１０３に送信するようにして良い。
【産業上の利用可能性】
【００８０】
本発明は、盗難、紛失、または水没、落下等の事故が発生した場合に、個人情報データ等の重要なデータを保護する携帯端末装置として有用である。
【図面の簡単な説明】
【００８１】
【図１】図１は、本発明の実施の形態１に係る携帯端末装置の構成例を示すブロック図である。
【図２】図２は、本発明の実施の形態１に係る携帯端末装置の動作を説明するためのフローチャート図である。
【図３】図３は、本発明の実施の形態１に係る携帯端末装置の動作を説明するためのフローチャート図である。
【図４】図４は、本発明の実施の形態１に係る携帯端末装置の動作を説明するためのフローチャート図である。
【図５】図５は、本発明の実施の形態１に係る携帯端末装置の動作を説明するためのフローチャート図である。
【図６】図６は、本発明の実施の形態２に係る携帯端末装置の構成例を示すブロック図である。
【図７】図７は、本発明の実施の形態２に係る携帯端末装置の動作を説明するためのフローチャート図である。
【図８】図８は、本発明の実施の形態３に係る携帯端末装置の構成例を示すブロック図である。
【図９】図９は、本発明の実施の形態３に係る携帯端末装置の動作を説明するためのフローチャート図である。
【図１０】図１０は、本発明の携帯端末装置と他の機器との関係を示す図である。
【符号の説明】
【００８２】
１０１  通常モード制御部
１０２  緊急モード制御部
１０３  データ送受信部
１０４  メモリ部
１０５  メモリカード部
１０６  位置検出部
１０７  カメラ撮影部
１０８  音声検出部
１０９  主電源
１１０  ２次電源
１１１  警告音発生部
１１２  緊急データ送信部
６０１  水濡れ検出部
６０２  水没検知部
８０１  加速度計測部
８０２  落下検知部
１００１ａ〜１０００ｃ  携帯端末装置
１００２  電話
１００３  パーソナルコンピュータ
１００４  サーバ
１００５  移動端末
１００６  家電機器
【手続補正３】
【補正対象書類名】図面
【補正対象項目名】全図
【補正方法】変更
【補正の内容】
【図１】
2006028030.tif 000012
【図２】
2006028030.tif 000013
【図３】
2006028030.tif 000014
【図４】
2006028030.tif 000015
【図５】
2006028030.tif 000016
【図６】
2006028030.tif 000017
【図７】
2006028030.tif 000018
【図８】
2006028030.tif 000019
【図９】
2006028030.tif 000020
【図１０】
2006028030.tif 000021
【国際調査報告】
2006028030.tif 000022
2006028030.tif 000023
2006028030.tif 000024
2006028030.tif 000025